(57)【要約】【課題】引戸下端側の緩衝構造が外れたりずれたりするのを防ぐことができる上吊り式引戸装置を提供する。【解決手段】吊り下げられた引戸本体３１を横幅方向へ開閉動作するようにした上吊り式引戸装置において、前記引戸本体３１の下端側コーナー部に弾性材料からなるコーナー緩衝部材３４が設けられ、このコーナー緩衝部材３４は、引戸厚さ方向の両側で引戸本体の表部及び裏部に接触又は近接する立上がり片部３４ｂ，３４ｂを有する。【選択図】図１
2010019015.tif 000002
【特許請求の範囲】
【請求項１】
吊り下げられた引戸本体を横幅方向へ開閉動作するようにした上吊り式引戸装置において、
前記引戸本体の下端側コーナー部に弾性材料からなるコーナー緩衝部材が設けられ、
このコーナー緩衝部材は、引戸厚さ方向の両側で引戸本体の表部及び裏部に接触又は近接する立上がり片部を有することを特徴とする上吊り式引戸装置。
【請求項２】
前記引戸本体の戸先部内には、上下方向へわたる凹溝が設けられ、
前記コーナー緩衝部材は、前記凹溝内の底部に当接される当接部を一体的に具備し、
前記当接部は、戸先側から貫通挿入された止着具によって前記凹溝内の底部に止着されていることを特徴とする請求項１記載の上吊り式引戸装置。
【請求項３】
前記コーナー緩衝部材は、引戸本体に対し下方側から当接する基部と、該基部よりも戸尻方向側で引戸本体内に嵌り合う嵌合部とを備え、前記当接部と前記嵌合部とを略Ｌ字状に構成するとともに、前記基部から前記嵌合部にわたる部分と、前記当接部との間を略三角形状の補強部により接続して一体成形されていることを特徴とする請求項２記載の上吊り式引戸装置。
【請求項４】
前記引戸本体の戸先部分には、弾性材料によって形成されるとともに上下方向へ連続する中空状の戸当り緩衝部材が設けられ、
前記コーナー緩衝部材には、前記戸当り緩衝部材内へ突出して、前記戸当り緩衝部材の内壁面に対し戸先方向側から接触又は近接する突片部が設けられ、
前記突片部の戸先側には、該突片部と前記戸当り緩衝部材の内壁面との間に、前記戸当り緩衝部材を戸尻方向へ弾性変形させるための隙間が設けられ、
前記突片部の引戸厚さ方向側にも、該突片部と前記戸当り緩衝部材の内壁面との間に、前記戸当り緩衝部材を引戸厚さ方向へ弾性変形させるための隙間が設けられていることを特徴とする請求項１乃至３何れか１項記載の上吊り式引戸装置。
【請求項５】
前記立上がり片部は、その戸先方向側の部分に、引戸厚さ方向の中央側へ向かって傾斜する傾斜部を備え、この傾斜部によって前記引戸本体の下端側コーナー部を覆うとともに、同傾斜部の先端側を前記戸当り緩衝部材の付け根側部分に接触又は近接させていることを特徴とする請求項４記載の上吊り式引戸装置。
【発明の詳細な説明】
【技術分野】
【０００１】
本発明は、吊り下げられた引戸を横幅方向へ開閉動作するようにした上吊り式引戸装置に関し、特に、引戸の下端側コーナー部が物体に当接した際の衝撃を緩和するようにした上吊り式引戸装置に関するものである。
【背景技術】
【０００２】
従来、この種の発明には、例えば、特許文献１に記載されたもののように、傾斜状態に固定された傾斜レール（３）と、該傾斜レール（３）に吊り下げられた引戸（１）とを備え、引戸（１）を前記傾斜レール（３）の勾配によって自動的に閉鎖動作させるようにしたものがある。
前記従来技術によれば、引戸（１）を下り勾配の傾斜レール（３）に沿って閉鎖動作させるため、その閉鎖動作中、引戸（１）と床面（Ｆ）との間隔が狭まることになる。そのため、床面近くにある物体等が、前記間隔に挟まれるようにして前記引戸（１）に当接される可能性がある。
そこで、前記従来技術では、引戸（１）の下端側の角部分にコーナー緩衝部材（コーナー部材１６）を設け、このコーナー緩衝部材をプロテクターとして作用させ、前記物体等への衝撃を緩和するようにしている。
また、前記従来技術では、戸先部に中空状の戸当り緩衝部材（戸当りクッション６）が設けられ、この戸当り緩衝部材の下端部を、前記コーナー緩衝部材によって受けるようにしている。
【０００３】
しかしながら、前記従来技術では、前記コーナー緩衝部材が前記物体等に当接した際の衝撃により、外れたりずれてしまったりするおそれがある。
また、引戸の閉鎖動作中、前記戸当り緩衝部材の下端側が物体等に当接する可能性もあり、このような場合には、前記戸当り緩衝部材の下端側の弾性変形が、前記コーナー緩衝部材によって阻まれてしまうおそれがある。
更に、前記戸当り緩衝部材の下端側が、物体等に当接した際の衝撃によって引戸から外れてしまうおそれもある。
【特許文献１】特開平１０−１９６２１５号公報
【発明の開示】
【発明が解決しようとする課題】
【０００４】
本発明は上記従来事情に鑑みてなされたものであり、その課題とする処は、引戸下端側の緩衝構造が外れたりずれたりするのを防ぐことができる上吊り式引戸装置を提供することにある。
【課題を解決するための手段】
【０００５】
上記課題を解決するための技術的手段は、吊り下げられた引戸本体を横幅方向へ開閉動作するようにした上吊り式引戸装置において、前記引戸本体の下端側コーナー部に弾性材料からなるコーナー緩衝部材が設けられ、このコーナー緩衝部材は、引戸厚さ方向の両側で引戸本体の表部及び裏部に接触又は近接する立上がり片部を有することを特徴とする。
この技術的手段によれば、コーナー緩衝部材が物体との当接の際の衝撃により、引戸本体に対し開閉体厚さ方向へ外れたりずれたりするのを、コーナー緩衝部材における引戸厚さ方向両側の立上がり片部によって阻むことができる。
【０００６】
更なる技術的手段では、前記引戸本体の戸先部内には、上下方向へわたる凹溝が設けられ、前記コーナー緩衝部材は、前記凹溝内の底部に当接される当接部を一体的に具備し、前記当接部は、戸先側から貫通挿入された止着具によって前記凹溝内の底部に止着されていることを特徴とする。
この技術的手段によれば、コーナー緩衝部材が物体との当接の際の衝撃により、戸尻方向へ外れたりずれたりするのを、当接部と凹溝底面部との当接、及び止着具による止着構造によって、効果的に防ぐことができる。
しかも、メンテナンス等によりコーナー緩衝部材を交換する際には、止着具を戸先側へ抜けばよいので、その作業性が良好である。
【０００７】
更なる技術的手段では、前記コーナー緩衝部材は、引戸本体に対し下方側から当接する基部と、該基部よりも戸尻方向側で引戸本体内に嵌り合う嵌合部とを備え、前記当接部と前記嵌合部とを略Ｌ字状に構成するとともに、前記基部から前記嵌合部にわたる部分と、前記当接部との間を略三角形状の補強部により接続して一体成形されていることを特徴とする。
この技術的手段によれば、引戸本体に対しコーナー緩衝部材を頑強に固定することができる。
【０００８】
更なる技術的手段では、前記引戸本体の戸先部分には、弾性材料によって形成されるとともに上下方向へ連続する中空状の戸当り緩衝部材が設けられ、前記コーナー緩衝部材には、前記戸当り緩衝部材内へ突出して、前記戸当り緩衝部材の内壁面に対し戸先方向側から接触又は近接する突片部が設けられ、前記突片部の戸先側には、該突片部と前記戸当り緩衝部材の内壁面との間に、前記戸当り緩衝部材を戸尻方向へ弾性変形させるための隙間が設けられ、前記突片部の引戸厚さ方向側にも、該突片部と前記戸当り緩衝部材の内壁面との間に、前記戸当り緩衝部材を引戸厚さ方向へ弾性変形させるための隙間が設けられていることを特徴とする。
この技術的手段によれば、物体との当接等に起因して戸当り緩衝部材の下端側が引戸本体から離れてしまうようなことを突片部により防ぐことができ、その上、前記二箇所の隙間により、戸当り緩衝部材の下端側を戸尻方向および引戸厚さ方向へ柔軟に弾性変形させて、物体に当接した際の衝撃を効果的に緩和することができる。
【０００９】
更なる技術的手段では、前記立上がり片部は、その戸先方向側の部分に、引戸厚さ方向の中央側へ向かって傾斜する傾斜部を備え、この傾斜部によって前記引戸本体の下端側コーナー部を覆うとともに、同傾斜部の先端側を前記戸当り緩衝部材の付け根側部分に接触又は近接させていることを特徴とする。
この技術的手段によれば、引戸下端側のコーナー部に物体が当接した際の衝撃を傾斜部によって緩和できる。その上、同傾斜部によって、戸当り緩衝部材の下端側の付け根側部分が外れたりずれたりするようなことを防ぐことができる。
【発明の効果】
【００１０】
本発明は、以上説明したように構成されているので、以下に記載されるような作用効果を奏する。
下端側のコーナー部が床面上の物体に当接した際の衝撃を、引戸下端側の緩衝構造によって緩和することができる上、前記緩衝構造が外れたりずれたりするようなことを防ぐことができる。
【発明を実施するための最良の形態】
【００１１】
以下、本発明の実施の形態を図面に基づいて説明する。
この上吊り式引戸装置１は、図１に示すように、躯体開口部に固定される枠体１０と、該枠体１０の上枠部１３内に固定された傾斜レール２０と、該傾斜レール２０に沿って開閉動作する引戸３０とを備え、前記引戸３０を前記傾斜レール３０の勾配によって自動的に閉鎖動作させるようにしている。
【００１２】
枠体１０は、左右の縦枠部１１，１２と、これら縦枠部１１，１２の上端側間に固定された上枠部１３とからなる正面視略コ字状に構成される。
そして、この枠体１０内における左右半部の内の片半部は、図示しない戸袋によって覆われる。また、他半部は、引戸３０によって開閉される通路用開口部Ｓとなる。
【００１３】
傾斜レール２０は、後述する引戸３０の移動支持部３２を受けて左右方向へ案内するように、例えば断面略Ｌ字状等に形成されたレールである。この傾斜レール２０は、引戸３０の閉鎖方向へ向かって下り勾配となるように設けられ、上枠部１３内に固定されている。
【００１４】
引戸３０は、略矩形厚板状の引戸本体３１と、該引戸本体３１の上端部に設けられた移動支持部３２，３２と、引戸本体３１の戸先部分に設けられた戸当り緩衝部材３３と、引戸本体３１の下端側コーナー部に設けられたコーナー緩衝部材３４とを具備してなる。
【００１５】
引戸本体３１は、金属製の表板と裏板との間に骨材や芯材等を挟み込むことで構成され、戸先部内に上下方向へわたる縦凹溝３１ａを有するとともに、下端部内に該引戸本体３１の横幅方向へわたる横凹溝３１ｂを有する。
【００１６】
縦凹溝３１ａは、その戸先方向側の開口縁部分に、引戸厚さ方向（図３によれば図面の上下方向）の内側へ略直角に曲げられた被係合片部３１ａ１，３１ａ１を有する。各被係合片部３１ａ１には、後述する戸当り緩衝部材３３が係合され支持される。
【００１７】
横凹溝３１ｂは、その下方向側の開口縁部分に、引戸本体３１を構成する金属製の表板と裏板の各々を、略１８０度折り曲げて形成した折り曲げ部３１ｂ１を有する。
この折り曲げ部３１ｂ１における戸先側の端部３１ｂ１ａ（エッジ状部分）は、後述するコーナー緩衝部材３４の立上がり片部３４ｂによって覆われる（図２及び図４参照）。
この折り曲げ部３１ｂ１は、後述する戸当り緩衝部材３３の嵌合部に嵌り合うって、戸当り緩衝部材３３の戸当り方向への移動を防ぐとともに、引戸本体３１の下端縁に物体等が当接した場合に、その物体等が損傷するのを防ぐ。
【００１８】
前記引戸本体３１の上辺部には、二つの移動支持部３２，３２が適宜間隔を置いて配設される。
移動支持部３２は、引戸本体３１の上辺部に止着された軸支ブラケット３２ａと、該軸支ブラケット３２ａによって回転自在に支持された車輪３２ｂとから構成される。
また、各移動支持部３２には、必要に応じて、引戸本体３１に相対する車輪３２ｂの高さ位置を調整する高さ調整手段（図示せず）が設けられる。この高さ調整手段は、引戸本体３１の高さ位置及び傾斜角度の調整に用いられる。
【００１９】
戸当り緩衝部材３３は、ゴムやエラストマー樹脂等の弾性材料によって、上下方向へ連続する中空状に一体成形されている。
より詳細に説明すれば、この戸当り緩衝部材３３は、横断面略へ字状等の凸状の緩衝部３３ａと、該緩衝部３３ａの戸尻方向側部分を塞ぐ平坦部３３ｂとによって囲まれた中空状を呈する（図２及び図３参照）。そして、前記平坦部３３ｂの外側には、引戸本体３１の被係合片部３１ａ１に嵌り合う係合部３３ｃを有する。
【００２０】
係合部３３ｃは、引戸本体３１の被係合片部３１ａ１に対し上下方向にわたって嵌り合う凹状係合部３３ｃ１と、該凹状係合部３３ｃ１に連続して設けられた補強片部３３ｃ２とを有する。
補強片部３３ｃ２は、引戸本体３１の表面又は裏面と略平行する幅広状であって且つ上下方向へわたるように形成され、図３に示すように、縦凹溝３１ａ内面に対し近接又は接触するように設けられる。
この補強片部３３ｃ２は、戸当り緩衝部材３３に過大な負荷が加わった際に、縦凹溝３１ａ内面に当接することで、凹状係合部３３ｃ１の過剰な変形を防ぎ、ひいては、凹状係合部３３ｃ１が引戸本体３１から外れてしまうようなことを防ぐ。
【００２１】
また、コーナー緩衝部材３４は、ゴムやエラストマー樹脂等の弾性材料からなり、引戸本体３１の下端側コーナー部に固定されている。
このコーナー緩衝部材３４は、引戸本体３１に対し下方側から当接する基部３４ａと、該基部３４ａの引戸厚さ方向の両側に配設されて引戸本体３１の表面及び裏面に接触又は近接する立上がり片部３４ｂ，３４ｂと、該基部３４ａの前端側に設けられて戸当り緩衝部材３３内へ挿入される突片部３４ｃと、該基部３４ａよりも戸尻方向側で引戸本体３１内に嵌り合う嵌合部３４ｄと、該嵌合部３４ｄの戸尻方向側で立ち上がり引戸本体３１の縦凹溝３１ａの底部３１ａ２に当接される当接部３４ｅと、該当接部３４ｅを補強する補強部３４ｆ，３４ｆと、を一体成形してなる。
【００２２】
基部３４ａは、引戸本体３１の下端面の戸先側部分に当接するように平板状に形成されている。
【００２３】
立上がり片部３４ｂ，３４ｂの各々は、引戸本体３１の表面又は裏面に対し、接触又は近接するように設けられた平坦部３４ｂ１と、該平坦部３４ｂ１の戸先方向側の部分に接続されて引戸厚さ方向の中央側へ向かって傾斜する傾斜部３４ｂ２とから構成される。
【００２４】
突片部３４ｃは、戸当り緩衝部材３３内へ突出するとともに、戸当り緩衝部材３３の内壁面に対し戸先方向側から接触又は近接するように設けられる。
この突片部３４ｃの戸先側には、該突片部３４ｃと戸当り緩衝部材３３の内壁面との間に、戸当り緩衝部材３３を戸尻方向へ弾性変形させるための隙間ｃ１が確保されている（図３参照）。
同突片部３４ｃの引戸厚さ方向側には、該突片部３４ｃと戸当り緩衝部材３３の内壁面との間に、戸当り緩衝部材３３を引戸厚さ方向へ弾性変形させるための隙間ｃ２，ｃ２が確保されている。
【００２５】
また、嵌合部３４ｄは、引戸本体３１下端側の横凹溝３１ｂ内に嵌まり込まれている。より詳細に説明すれば、この嵌合部３４ｄは、横凹溝３１ｂ内において、引戸厚さ方向両側の折り曲げ部３１ｂ１，３１ｂ１の間に位置する。
そして、この嵌合部３４ｄは、コーナー緩衝部材３４が引戸厚さ方向へ外れたりずれたりするのを阻む。
【００２６】
また、当接部３４ｅは、引戸本体３１における縦凹溝３１ａの底部３１ａ２に当接する略平板状に形成される。この当接部３４ｅは、戸先側から貫通挿入された止着具３４ｇ（例えば、ネジやボルト等）によって、前記縦凹溝３１ａ内の底部３１ａ２に対し止着される。
【００２７】
補強部３４ｆは、基部３４ａから嵌合部３４ｄにわたる部分と、当接部３４ｅとを接続するように略三角片状に形成されている。
この補強部３４ｆは、図示例によれば二つ設けるようにしているが、一あるいは三以上とすることも可能である。
この補強部３４ｆは、基部３４ａ側が、下方や、引戸厚さ方向、戸先方向等へずれたり変形したりしないように、基部３４ａから嵌合部３４ｄにわたる部分と当接部３４ｅとを頑強に接続している。
【００２８】
次に、上記上吊り式引戸装置１における緩衝構造の要部について、その組み立て手順を詳細に説明する。
先ず、図２に示すように、引戸本体３１の戸先部の下端側部分に、その下方側からコーナー緩衝部材３４が装着される。
この際、コーナー緩衝部材３４における当接部３４ｅ及び嵌合部３４ｄが、引戸本体３１下端の横凹溝３１ｂ内に挿入されるとともに、同コーナー緩衝部材３４における立上がり片部３４ｂ，３４ｂの内側面が、引戸本体３１の表面及び裏面に接触又は近接する。
【００２９】
そして、当接部３４ｅに設けられた貫通孔３４ｅ１に止着具３４ｇが挿通され、該止着具３４ｇの先端部が、縦凹溝３１ａの底部３１ａ２に螺合接続される。
【００３０】
次に、引戸本体３１の戸先部に対し戸当り緩衝部材３３が装着される。
この際、引戸本体３１の戸先側の被係合片部３１ａ１，３１ａ１に対し、その上方側から、戸当り緩衝部材３３の凹状係合部３３ｃ１，３３ｃ１がそれぞれはめ合わせられ、戸当り緩衝部材３３が下方へスライドされる。
【００３１】
下方へスライドした戸当り緩衝部材３３は、引戸本体３１の基部３４ａに受けられることで位置決めされる。また、この際、戸当り緩衝部材３３の下端側内部には、コーナー緩衝部材３４の突片部３４ｃが挿入される。
【００３２】
よって、上記構成の上吊り式引戸装置１によれば、引戸３０は、閉鎖動作する際、傾斜レール２０に沿って閉鎖方向へ自動的に移動するとともに、床面Ｆとの間の隙間を徐々に狭めてゆく。
この閉鎖動作中、万が一、床面近くの物体等に引戸３０が当接したとしても、戸当り緩衝部材３３及びコーナー緩衝部材３４の弾性変形により、前記物体等への衝撃を緩和することができる。
【００３３】
しかも、前記物体等との当接に起因して、コーナー緩衝部材３４が引戸厚さ方向や、下方、戸先方向等へずれたり外れたりするのを、引戸本体３１の厚さ方向両側に位置する立上がり片部３４ｂ，３４ｂ、及び引戸本体３１内へ嵌り合う嵌合部３４ｄ、当接部３４ｅによる止着構造、補強部３４ｆによる補強構造等によって効果的に阻むことができる。
【００３４】
また、前記物体等との当接の際、戸当り緩衝部材３３内における引戸開閉方向の隙間ｃ１、及び引戸厚さ方向の隙間ｃ２，ｃ２により、戸当り緩衝部材３３の下端側を柔軟に弾性変形させることができるため、物体等への衝撃を効果的に緩和することができる。
【００３５】
なお、上記上吊り式引戸装置１には、必要に応じて、引戸３０を電動で開放動作させる機構（図示せず）や、引戸３０の閉鎖速度を減速するダンパー機構（図示せず）、引戸３０を全開状態に維持する係止機構、引戸３０を全閉状態で施錠する施錠機構等を設けるようにしてもよい。
【００３６】
また、図２の例示によれば、引戸本体３１の下端側コーナー部に対しその下方側からコーナー緩衝部材３４を装着するようにしているが、他の組み立て方法としては、引戸本体３１の下端側コーナー部に対し、その戸先方向側からコーナー緩衝部材３４を装着することが可能である。
例えば、メンテナンス作業等によりコーナー緩衝部材３４を交換する場合等には、戸当り緩衝部材３３を引戸本体３１に対し上方へスライドさせ、次に、止着具３４ｇ及びコーナー緩衝部材３４を戸先方向へ外し、新たなコーナー緩衝部材３４を戸先方向側から装着することが可能であり、その作業性が良好である。
【００３７】
また、上記上吊り式引戸装置１によれば、引戸３０における戸先側の下端側コーナー部にコーナー緩衝部材３４を設けるようにしたが、他例としては、引戸３０における戸尻側の下端側コーナー部にコーナー緩衝部材３４を設けて、引戸３０が開放動作する際に、該引戸３０の戸尻側の下端側コーナー部が物体等に当接した場合の衝撃を緩和するようにしてもよい。
【００３８】
また、上記上吊り式引戸装置１によれば、傾斜レール２０に吊られた引戸３０に対しコーナー緩衝部材３４を設けたが、他例としては、略水平状のレール（図示せず）に吊られた引戸３０に対し、上記同様にしてコーナー緩衝部材３４を設けるようにしてもよい。
【００３９】
また、上記実施の形態によれば、上吊り式引戸装置１の引戸３０に対しコーナー緩衝部材３４を設けるようにしたが、前記コーナー緩衝部材３４は、床面に接触しながら開閉動作する引戸の下端側コーナー部や、折戸の下端側コーナー部等に設けることも可能である。
【図面の簡単な説明】
【００４０】
【図１】本発明に係る上吊り式引戸装置の一例を示す正面図である。
【図２】引戸の要部分解斜視図である。
【図３】図１における（III）−（III）線断面図である。
【図４】引戸の要部切欠拡大図である。
【符号の説明】
【００４１】
１：上吊り式引戸装置                ２０：傾斜レール
３０：引戸                          ３１：引戸本体
３２：移動支持部                    ３３：戸当り緩衝部材
３４：コーナー緩衝部材              ３４ａ：基部
３４ｂ：立上がり片部                ３４ｃ：突片部
３４ｄ：嵌合部                      ３４ｆ：補強部
ｃ１，ｃ２：隙間
【図１】
2010019015.tif 000003
【図２】
2010019015.tif 000004
【図３】
2010019015.tif 000005
【図４】
2010019015.tif 000006